(57)【要約】  本出願は情報伝送方法及び装置を開示する。該方法は、端末装置が第一の時間位置において、ネットワーク装置から送信された制御シグナリングを受信することと、前記端末装置が前記第一の時間位置に基づき、前記ネットワーク装置へスケジューリングリクエスト情報及び／又は前記制御シグナリングに関連するフィードバック情報を送信することとを含む。ここで、前記スケジューリングリクエスト情報を送信するように配置される第二の時間位置と前記フィードバック情報を送信するように配置される第三の時間位置は少なくとも部分的に重なる。端末装置は、ダウンリンク制御シグナリングを受信する時間に基づき、該制御シグナリングに関連する情報と他の情報がどのように効果的に伝送されるかを確定し、それによって２つの異なる長さのＰＵＣＣＨがある場合でも、異なる情報の伝送を効果的に行うことができる。
2021515419.tif 000002
【特許請求の範囲】
【請求項１】
情報伝送方法であって、
端末装置が第一の時間位置においてネットワーク装置から送信された制御シグナリングを受信することと、
前記端末装置が前記第一の時間位置に基づき、前記ネットワーク装置へ第一の情報及び／又は前記制御シグナリングに関連する第二の情報を送信することとを含み、
ここで、前記第一の情報を送信するように配置される第二の時間位置と前記第二の情報を送信するように配置される第三の時間位置は少なくとも部分的に重なる、前記情報伝送方法。
【請求項２】
前記第一の情報はスケジューリングリクエスト情報又は周期的チャネル状態情報であることを特徴とする
請求項１に記載の情報伝送方法。
【請求項３】
前記第二の情報はフィードバック情報、アップリンクデータ又は非周期的チャネル状態情報であることを特徴とする
請求項１又は２に記載の情報伝送方法。
【請求項４】
前記端末装置が前記第一の時間位置に基づき、前記ネットワーク装置へ第一の情報及び／又は前記制御シグナリングに関連する第二の情報を送信することは、
前記第一の時間位置が前記第二の時間位置の前に位置する場合、前記端末装置が多重伝送方式を用いて前記第二の情報と前記第一の情報を送信することを含むことを特徴とする
請求項１−３のいずれか一項に記載の情報伝送方法。
【請求項５】
前記端末装置が多重伝送方式を用いて前記第二の情報と前記第一の情報を送信することは、
前記端末装置が前記第三の時間位置において、多重伝送方式を用いて前記第二の情報と前記第一の情報を送信することを含むことを特徴とする
請求項４に記載の情報伝送方法。
【請求項６】
前記端末装置が多重伝送方式を用いて前記第二の情報と前記第一の情報を送信することは、
前記端末装置が前記第二の情報を伝送するための物理アップリンク制御チャネル（ＰＵＣＣＨ）を用い、前記第二の情報と前記第一の情報を送信することを含むことを特徴とする
請求項４に記載の情報伝送方法。
【請求項７】
前記端末装置が多重伝送方式を用いて前記第二の情報と前記第一の情報を送信することは、
前記端末装置が前記制御シグナリングに示されるＰＵＣＣＨを用いて前記第二の情報と前記第一の情報を送信することを含むことを特徴とする
請求項４に記載の情報伝送方法。
【請求項８】
前記第一の時間位置が前記第二の時間位置の前に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの前に位置することを含むことを特徴とする
請求項４−７のいずれか一項に記載の情報伝送方法。
【請求項９】
前記端末装置が前記第一の時間位置に基づき、前記ネットワーク装置へ第一の情報及び／又は前記制御シグナリングに関連する第二の情報を送信することは、
前記第一の時間位置が前記第二の時間位置の後に位置し、そして前記第一の情報が正である場合、前記端末装置が前記第一の情報を少なくとも送信すること、又は、
前記第一の時間位置が前記第二の時間位置の後に位置し、そして前記第一の情報が負である場合、前記端末装置が前記第二の情報のみを送信することを含むことを特徴とする
請求項１−３のいずれか一項に記載の情報伝送方法。
【請求項１０】
前記第一の時間位置が前記第二の時間位置の後に位置し、そして前記第一の情報が正である場合、前記端末装置が前記第一の情報を少なくとも送信することは、
前記端末装置が複数のＰＵＣＣＨを同時に伝送することをサポートしない場合、前記端末装置が前記第一の情報のみを送信すること、又は、
前記端末装置が複数のＰＵＣＣＨを同時に伝送することをサポートする場合、前記端末装置が独立した２つのＰＵＣＣＨを用いて前記第一の情報と前記第二の情報をそれぞれ送信することを含むことを特徴とする
請求項９に記載の情報伝送方法。
【請求項１１】
前記第一の情報を送信するためのＰＵＣＣＨに占有された異なる時間領域シンボルにおける送信電力が同じであることを特徴とする
請求項１０に記載の情報伝送方法。
【請求項１２】
前記第一の時間位置が前記第二の時間位置の後に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの後に位置すること、又は、前記第一の時間位置に含まれる少なくとも一つの時間領域シンボルのうちの最後の時間領域シンボルと前記第二の時間位置に含まれる少なくとも一つの時間領域シンボルのうちの１番目の時間領域シンボルが同一の時間領域シンボルであることを含むことを特徴とする
請求項９−１１のいずれか一項に記載の情報伝送方法。
【請求項１３】
前記制御シグナリングはダウンリンク制御情報（ＤＣＩ）又は上位層シグナリングを含むことを特徴とする
請求項１−１２のいずれか一項に記載の情報伝送方法。
【請求項１４】
情報伝送方法であって、
ネットワーク装置が第一の時間位置において端末装置へ制御シグナリングを送信することと、
前記ネットワーク装置が、前記端末装置が前記第一の時間位置に基づいて送信した第一の情報及び／又は前記制御シグナリングに関連する第二の情報を受信することとを含み、
ここで、前記第一の情報を送信するように配置される第二の時間位置と前記第二の情報を送信するように配置される第三の時間位置は少なくとも部分的に重なる、前記情報伝送方法。
【請求項１５】
前記第一の情報はスケジューリングリクエスト情報又は周期的チャネル状態情報であることを特徴とする
請求項１４に記載の情報伝送方法。
【請求項１６】
前記第二の情報はフィードバック情報、アップリンクデータ又は非周期的チャネル状態情報であることを特徴とする
請求項１４又は１５に記載の情報伝送方法。
【請求項１７】
前記ネットワーク装置が、前記端末装置が前記第一の時間位置に基づいて送信した第一の情報及び／又は前記制御シグナリングに関連する第二の情報を受信することは、
前記第一の時間位置が前記第二の時間位置の前に位置する場合、前記ネットワーク装置が、前記端末装置が多重伝送方式を用いて送信した前記第二の情報と前記第一の情報を受信することを含むことを特徴とする
請求項１４−１６のいずれか一項に記載の情報伝送方法。
【請求項１８】
前記ネットワーク装置が、前記端末装置が多重伝送方式を用いて送信した前記第二の情報と前記第一の情報を受信することは、
前記ネットワーク装置が前記第三の時間位置において、前記端末装置が多重伝送方式を用いて送信した前記第二の情報と前記第一の情報を受信することを含むことを特徴とする
請求項１７に記載の情報伝送方法。
【請求項１９】
前記ネットワーク装置が、前記端末装置が多重伝送方式を用いて送信した前記第二の情報と前記第一の情報を受信することは、
前記ネットワーク装置が、前記端末装置が前記第二の情報を伝送するためのＰＵＣＣＨを用いて送信した前記第二の情報と前記第一の情報を受信することを含むことを特徴とする
請求項１７に記載の情報伝送方法。
【請求項２０】
前記ネットワーク装置が、前記端末装置が多重伝送方式を用いて送信した前記第二の情報と前記第一の情報を受信することは、
前記ネットワーク装置が、前記端末装置が前記制御シグナリングに示されるＰＵＣＣＨを用いて送信した前記第二の情報と前記第一の情報を受信することを含むことを特徴とする
請求項１７に記載の情報伝送方法。
【請求項２１】
前記第一の時間位置が前記第二の時間位置の前に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの前に位置することを含むことを特徴とする
請求項１７−２０のいずれか一項に記載の情報伝送方法。
【請求項２２】
前記ネットワーク装置が、前記端末装置が前記第一の時間位置に基づいて送信した第一の情報及び／又は前記制御シグナリングに関連する第二の情報を受信することは、
前記第一の時間位置が前記第二の時間位置の後に位置し、そして前記第一の情報が正である場合、前記ネットワーク装置が前記端末装置から送信された前記第一の情報を少なくとも受信すること、又は、
前記第一の時間位置が前記第二の時間位置の後に位置し、そして前記第一の情報が負である場合、前記ネットワーク装置が前記端末装置から送信された前記第二の情報のみを受信することを含むことを特徴とする
請求項１４−１６のいずれか一項に記載の情報伝送方法。
【請求項２３】
前記第一の時間位置が前記第二の時間位置の後に位置し、そして前記第一の情報が正である場合、前記ネットワーク装置が前記端末装置から送信された前記第一の情報を少なくとも受信することは、
前記端末装置が複数のＰＵＣＣＨを同時に伝送することをサポートしない場合、前記ネットワーク装置が前記端末装置から送信された前記第一の情報のみを受信すること、又は、
前記端末装置が複数のＰＵＣＣＨを同時に伝送することをサポートする場合、前記ネットワーク装置が、前記端末装置が独立した２つのＰＵＣＣＨを用いてそれぞれ送信した前記第一の情報と前記第二の情報を受信することを含むことを特徴とする
請求項２２に記載の情報伝送方法。
【請求項２４】
前記第一の情報を送信するためのＰＵＣＣＨに占有された異なる時間領域シンボルにおける送信電力が同じであることを特徴とする
請求項２３に記載の情報伝送方法。
【請求項２５】
前記第一の時間位置が前記第二の時間位置の後に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの後に位置すること、又は、前記第一の時間位置に含まれる少なくとも一つの時間領域シンボルのうちの最後の時間領域シンボルと前記第二の時間位置に含まれる少なくとも一つの時間領域シンボルのうちの１番目の時間領域シンボルが同一の時間領域シンボルであることを含むことを特徴とする
請求項２２−２４のいずれか一項に記載の情報伝送方法。
【請求項２６】
前記制御シグナリングはダウンリンク制御情報（ＤＣＩ）又は上位層シグナリングを含むことを特徴とする
請求項１４−２５のいずれか一項に記載の情報伝送方法。
【請求項２７】
端末装置であって、
第一の時間位置においてネットワーク装置から送信された制御シグナリングを受信するように構成される受信ユニットと、
前記受信ユニットが前記制御シグナリングを受信する前記第一の時間位置に基づき、前記ネットワーク装置へ第一の情報及び／又は前記制御シグナリングに関連する第二の情報を送信するように構成される送信ユニットとを備え、
ここで、前記第一の情報を送信するように配置される第二の時間位置と前記第二の情報を送信するように配置される第三の時間位置は少なくとも部分的に重なる、端末装置。
【請求項２８】
前記第一の情報はスケジューリングリクエスト情報又は周期的チャネル状態情報であることを特徴とする
請求項２７に記載の端末装置。
【請求項２９】
前記第二の情報はフィードバック情報、アップリンクデータ又は非周期的チャネル状態情報であることを特徴とする
請求項２７又は２８に記載の端末装置。
【請求項３０】
前記送信ユニットは具体的に、
前記第一の時間位置が前記第二の時間位置の前に位置する場合、多重伝送方式を用いて前記第二の情報と前記第一の情報を送信するように構成されることを特徴とする
請求項２７−２９のいずれか一項に記載の端末装置。
【請求項３１】
前記送信ユニットは具体的に、
前記第三の時間位置において、多重伝送方式を用いて前記第二の情報と前記第一の情報を送信するように構成されることを特徴とする
請求項３０に記載の端末装置。
【請求項３２】
前記送信ユニットは具体的に、
前記第二の情報を伝送するためのＰＵＣＣＨを用い、前記第二の情報と前記第一の情報を送信するように構成されることを特徴とする
請求項３０に記載の端末装置。
【請求項３３】
前記送信ユニットは具体的に、
前記制御シグナリングに示されるＰＵＣＣＨを用いて前記第二の情報と前記第一の情報を送信するように構成されることを特徴とする
請求項３０に記載の端末装置。
【請求項３４】
前記第一の時間位置が前記第二の時間位置の前に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの前に位置することを含むことを特徴とする
請求項３０−３３のいずれか一項に記載の端末装置。
【請求項３５】
前記送信ユニットは具体的に、
前記第一の時間位置が前記第二の時間位置の後に位置し、そして前記第一の情報が正である場合、前記第一の情報を少なくとも送信し、又は、
前記第一の時間位置が前記第二の時間位置の後に位置し、そして前記第一の情報が負である場合、前記第二の情報のみを送信するように構成されることを特徴とする
請求項２７−２９のいずれか一項に記載の端末装置。
【請求項３６】
前記第一の時間位置が前記第二の時間位置の後に位置し、そして前記第一の情報が正である場合、前記送信ユニットは具体的に、
前記端末装置が複数のＰＵＣＣＨを同時に伝送することをサポートしない場合、前記第一の情報のみを送信し、又は、
前記端末装置が複数のＰＵＣＣＨを同時に伝送することをサポートする場合、独立した２つのＰＵＣＣＨを用いて前記第一の情報と前記第二の情報をそれぞれ送信するように構成されることを特徴とする
請求項３５に記載の端末装置。
【請求項３７】
前記第一の情報を送信するためのＰＵＣＣＨに占有された異なる時間領域シンボルにおける送信電力が同じであることを特徴とする
請求項３６に記載の端末装置。
【請求項３８】
前記第一の時間位置が前記第二の時間位置の後に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの後に位置すること、又は、前記第一の時間位置に含まれる少なくとも一つの時間領域シンボルのうちの最後の時間領域シンボルと前記第二の時間位置に含まれる少なくとも一つの時間領域シンボルのうちの１番目の時間領域シンボルが同一の時間領域シンボルであることを含むことを特徴とする
請求項３５−３７のいずれか一項に記載の端末装置。
【請求項３９】
前記制御シグナリングはダウンリンク制御情報（ＤＣＩ）又は上位層シグナリングを含むことを特徴とする
請求項２７−３８のいずれか一項に記載の端末装置。
【請求項４０】
ネットワーク装置であって、
第一の時間位置において端末装置へ制御シグナリングを送信するように構成される送信ユニットと、
前記端末装置が前記第一の時間位置に基づいて送信した第一の情報及び／又は前記制御シグナリングに関連する第二の情報を受信するように構成される受信ユニットとを備え、
ここで、前記第一の情報を送信するように配置される第二の時間位置と前記第二の情報を送信するように配置される第三の時間位置は少なくとも部分的に重なる、ネットワーク装置。
【請求項４１】
前記第一の情報はスケジューリングリクエスト情報又は周期的チャネル状態情報であることを特徴とする
請求項４０に記載のネットワーク装置。
【請求項４２】
前記第二の情報はフィードバック情報、アップリンクデータ又は非周期的チャネル状態情報であることを特徴とする
請求項４０又は４１に記載のネットワーク装置。
【請求項４３】
前記受信ユニットは具体的に、
前記第一の時間位置が前記第二の時間位置の前に位置する場合、前記端末装置が多重伝送方式を用いて送信した前記第二の情報と前記第一の情報を受信するように構成されることを特徴とする
請求項４０−４２のいずれか一項に記載のネットワーク装置。
【請求項４４】
前記受信ユニットは具体的に、
前記第三の時間位置において、前記端末装置が多重伝送方式を用いて送信した前記第二の情報と前記第一の情報を受信するように構成されることを特徴とする
請求項４３に記載のネットワーク装置。
【請求項４５】
前記受信ユニットは具体的に、
前記端末装置が前記第二の情報を伝送するためのＰＵＣＣＨを用いて送信した前記第二の情報と前記第一の情報を受信するように構成されることを特徴とする
請求項４３に記載のネットワーク装置。
【請求項４６】
前記受信ユニットは具体的に、
前記端末装置が前記制御シグナリングに示されるＰＵＣＣＨを用いて送信した前記第二の情報と前記第一の情報を受信するように構成されることを特徴とする
請求項４３に記載のネットワーク装置。
【請求項４７】
前記第一の時間位置が前記第二の時間位置の前に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの前に位置することを含むことを特徴とする
請求項４３−４６のいずれか一項に記載のネットワーク装置。
【請求項４８】
前記受信ユニットは具体的に、
前記第一の時間位置が前記第二の時間位置の後に位置し、そして前記第一の情報が正である場合、前記端末装置から送信された前記第一の情報を少なくとも受信し、又は、
前記第一の時間位置が前記第二の時間位置の後に位置し、そして前記第一の情報が負である場合、前記端末装置から送信された前記第二にお情報のみを受信するように構成されることを特徴とする
請求項４０−４２のいずれか一項に記載のネットワーク装置。
【請求項４９】
前記第一の時間位置が前記第二の時間位置の後に位置し、そして前記第一の情報が正である場合、前記受信ユニットは具体的に、
前記端末装置が複数のＰＵＣＣＨを同時に伝送することをサポートしない場合、前記端末装置から送信された前記第一の情報のみを受信し、又は、
前記端末装置が複数のＰＵＣＣＨを同時に伝送することをサポートする場合、前記端末装置が独立した２つのＰＵＣＣＨを用いてそれぞれ送信した前記第一の情報と前記第二の情報を受信するように構成されることを特徴とする
請求項４８に記載のネットワーク装置。
【請求項５０】
前記第一の情報を送信するためのＰＵＣＣＨに占有された異なる時間領域シンボルにおける送信電力が同じであることを特徴とする
請求項４９に記載のネットワーク装置。
【請求項５１】
前記第一の時間位置が前記第二の時間位置の後に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの後に位置すること、又は、前記第一の時間位置に含まれる少なくとも一つの時間領域シンボルのうちの最後の時間領域シンボルと前記第二の時間位置に含まれる少なくとも一つの時間領域シンボルのうちの１番目の時間領域シンボルが同一の時間領域シンボルであることを含むことを特徴とする
請求項４８−５０のいずれか一項に記載のネットワーク装置。
【請求項５２】
前記制御シグナリングはダウンリンク制御情報（ＤＣＩ）又は上位層シグナリングを含むことを特徴とする
請求項４０−５１のいずれか一項に記載のネットワーク装置。
【発明の詳細な説明】
【技術分野】
【０００１】
本発明の実施例は通信分野に関し、且つより具体的には、情報伝送方法及び装置に関する。
【背景技術】
【０００２】
５Ｇシステムでは、２つの長さの物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、即ち長ＰＵＣＣＨ（ｌｏｎｇ  ＰＵＣＣＨ）と短ＰＵＣＣＨ（ｓｈｏｒｔ  ＰＵＣＣＨ）がサポートされる。端末装置は異なるＰＵＣＣＨを用いて異なるアップリンク情報を送信し、例えば異なるＰＵＣＣＨを用いてスケジューリングリクエスト情報（ＳＲ：Ｓｃｈｅｄｕｌｉｎｇ  Ｒｅｑｕｅｓｔ）とフィードバック情報（肯定確認（ＡＣＫ：Ａｃｋｎｏｗｌｅｄｇｅｍｅｎｔ）又は否定確認（ＮＡＣＫ：Ｎｅｇａｔｉｖｅ  ＡＣＫ））を送信することができ、この時、どのようにＳＲとフィードバック情報の伝送をより効果的に行うかは解決すべき問題となる。
【発明の概要】
【発明が解決しようとする課題】
【０００３】
本出願の実施例は、２つの異なる長さのＰＵＣＣＨがある場合でも、異なる情報の伝送を効果的に行うことができる情報伝送方法及び装置を提供する。
【課題を解決するための手段】
【０００４】
第一の態様による情報伝送方法は、端末装置が第一の時間位置においてネットワーク装置から送信された制御シグナリングを受信することと、前記端末装置が前記第一の時間位置に基づき、前記ネットワーク装置へ第一の情報及び／又は前記制御シグナリングに関連する第二の情報を送信することとを含む。ここで、前記第一の情報を送信するように配置される第二の時間位置と前記第二の情報を送信するように配置される第三の時間位置は少なくとも部分的に重なる。
【０００５】
したがって、端末装置はダウンリンク制御シグナリングを受信する時間に基づき、該制御シグナリングに関連する情報と他の情報がどのように効果的に伝送されるかを確定し、それによって２つの異なる長さのＰＵＣＣＨがある場合でも、異なる情報の伝送を効果的に行うことができる。
【０００６】
一つの可能な実施形態では、前記第一の情報はスケジューリングリクエスト情報又は周期的チャネル状態情報である。
【０００７】
一つの可能な実施形態では、前記第二の情報は前記制御シグナリングに対応するフィードバック情報、前記制御シグナリングによってスケジューリングされたアップリンクデータ又は前記制御シグナリングによってトリガされた非周期的チャネル状態情報である。
【０００８】
一つの可能な実施形態では、前記端末装置が前記第一の時間位置において、前記ネットワーク装置へ第一の情報及び／又は前記制御シグナリングに関連する第二の情報を送信することは、前記第一の時間位置が前記第二の時間位置の前に位置する場合、前記端末装置が多重伝送方式を用いて前記第二の情報と前記第一の情報を送信することを含む。
【０００９】
一つの可能な実施形態では、前記端末装置が多重伝送方式を用いて前記第二の情報と前記第一の情報を送信することは、前記端末装置が前記第三の時間位置において、多重伝送方式を用いて前記第二の情報と前記第一の情報を送信することを含む。
【００１０】
一つの可能な実施形態では、前記端末装置が多重伝送方式を用いて前記第二の情報と前記第一の情報を送信することは、前記端末装置が前記第二の情報を伝送するためのＰＵＣＣＨを用いて前記第二の情報と前記第一の情報を送信することを含む。
【００１１】
一つの可能な実施形態では、前記端末装置が多重伝送方式を用いて前記第二の情報と前記第一の情報を送信することは、前記端末装置が前記制御シグナリングに示されるＰＵＣＣＨを用いて前記第二の情報と前記第一の情報を送信することを含む。
【００１２】
一つの可能な実施形態では、前記第一の時間位置が前記第二の時間位置の前に位置することは、前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの前に位置することを含む。
【００１３】
一つの可能な実施形態では、前記端末装置が前記第一の時間位置に基づき、前記ネットワーク装置へ第一の情報及び／又は前記制御シグナリングに関連する第二の情報を送信することは、前記第一の時間位置が前記第二の時間位置の後に位置し、そして前記第一の情報が正である場合、前記端末装置が前記第一の情報を少なくとも送信すること、又は、前記第一の時間位置が前記第二の時間位置の後に位置し、そして前記第一の情報が負である場合、前記端末装置が前記第二の情報のみを送信することを含む。
【００１４】
一つの可能な実施形態では、前記第一の時間位置が前記第二の時間位置の後に位置し、そして前記第一の情報が正である場合、前記端末装置が前記第一の情報を少なくとも送信することは、前記端末装置が複数のＰＵＣＣＨを同時に伝送することをサポートしない場合、前記端末装置が前記第一の情報のみを送信すること、又は、前記端末装置が複数のＰＵＣＣＨを同時に伝送することをサポートする場合、前記端末装置が独立した２つのＰＵＣＣＨを用いて前記第一の情報と前記第二の情報をそれぞれ送信することを含む。
【００１５】
一つの可能な実施形態では、前記第一の情報を送信するためのＰＵＣＣＨに占有された異なる時間領域シンボルにおける送信電力が同じである。
【００１６】
一つの可能な実施形態では、前記第一の時間位置が前記第二の時間位置の後に位置することは、前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの後に位置すること、又は、前記第一の時間位置に含まれる少なくとも一つの時間領域シンボルのうちの最後の時間領域シンボルと前記第二の時間位置に含まれる少なくとも一つの時間領域シンボルのうちの１番目の時間領域シンボルが同一の時間領域シンボルであることを含む。
【００１７】
一つの可能な実施形態では、前記制御シグナリングはダウンリンク制御情報（ＤＣＩ：Ｄｏｗｎｌｉｎｋ  Ｃｏｎｔｒｏｌ  Ｉｎｆｏｒｍａｔｉｏｎ）又は上位層シグナリングを含む。
【００１８】
一つの可能な実施形態では、前記ＤＣＩが動的物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）伝送をスケジューリングすることに用いられ、又は半静的ＰＤＳＣＨ伝送をアクティブにし、又は半静的リソース解放を示すことに用いられ、又は帯域幅部分（ＢＷＰ：Ｂａｎｄｗｉｄｔｈ  Ｐａｒｔ）アクティブ化／非アクティブ化を示すことに用いられ、又は搬送波アクティブ化／非アクティブ化を示すことに用いられる。
【００１９】
一つの可能な実施形態では、前記上位層シグナリングは半静的ＰＤＳＣＨ伝送のパラメータを配置することに用いられる。
【００２０】
第二の態様による情報伝送方法は、ネットワーク装置が第一の時間位置において端末装置へ制御シグナリングを送信することと、前記ネットワーク装置が、前記端末装置が前記第一の時間位置に基づいて送信した前記第一の情報及び／又は前記制御シグナリングに関連する第二の情報を受信し、ここで前記第一の情報を送信するための第二の時間位置と前記第二の情報を送信するための第三の時間位置が少なくとも部分的に重なることとを含む。
【００２１】
したがって、ネットワーク装置はダウンリンク制御シグナリングを送信する時間に基づき、該制御シグナリングに関連する情報と他の情報がどのように効果的に受信されるかを確定し、それによって２つの異なる長さのＰＵＣＣＨがある場合でも、異なる情報の伝送を効果的に行うことができる。
【００２２】
一つの可能な実施形態では、前記第一の情報はスケジューリングリクエスト情報又は周期的チャネル状態情報である。
【００２３】
一つの可能な実施形態では、前記第二の情報は前記制御シグナリングに対応するフィードバック情報、前記制御シグナリングによってスケジューリングされたアップリンクデータ又は前記制御シグナリングによってトリガされた非周期的チャネル状態情報である。
【００２４】
一つの可能な実施形態では、前記ネットワーク装置が、前記端末装置が前記第一の時間位置に基づいて送信した第一の情報及び／又は前記制御シグナリングに関連する第二の情報を受信することは、前記第一の時間位置が前記第二の時間位置の前に位置する場合、前記ネットワーク装置が、前記端末装置が多重伝送方式を用いて送信した前記第二の情報と前記第一の情報を受信することを含む。
【００２５】
一つの可能な実施形態では、前記ネットワーク装置が、前記端末装置が多重伝送方式を用いて送信した前記第二の情報と前記第一の情報を受信することは、前記ネットワーク装置が前記第三の時間位置において、前記端末装置が多重伝送方式を用いて送信した前記第二の情報と前記第一の情報を受信することを含む。
【００２６】
一つの可能な実施形態では、前記ネットワーク装置が、前記端末装置が多重伝送方式を用いて送信した前記第二の情報と前記第一の情報を受信することは、前記ネットワーク装置が、前記端末装置が前記第二の情報を伝送するためのＰＵＣＣＨを用いて送信した前記第二の情報と前記第一の情報を受信することを含む。
【００２７】
一つの可能な実施形態では、前記ネットワーク装置が、前記端末装置が多重伝送方式を用いて送信した前記第二の情報と前記第一の情報を受信することは、前記ネットワーク装置が、前記端末装置が前記制御シグナリングによって示されるＰＵＣＣＨを用いて送信した前記第二の情報と前記第一の情報を受信することを含む。
【００２８】
一つの可能な実施形態では、前記第一の時間位置が前記第二の時間位置の前に位置することは、前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの前に位置することを含む。
【００２９】
一つの可能な実施形態では、前記ネットワーク装置は、前記端末装置が前記第一の時間位置に基づいて送信した第一の情報及び／又は前記制御シグナリングに関連する第二の情報を受信することは、前記第一の時間位置が前記第二の時間位置の後に位置し、そして前記第一の情報が正である場合、前記ネットワーク装置が前記端末装置から送信された前記第一の情報を少なくとも受信すること、又は、前記第一の時間位置が前記第二の時間位置の後に位置し、そして前記第一の情報が負である場合、前記ネットワーク装置が前記端末装置から送信された前記第二の情報のみを受信することを含む。
【００３０】
一つの可能な実施形態では、前記第一の時間位置が前記第二の時間位置の後に位置し、そして前記第一の情報が正である場合、前記ネットワーク装置が前記端末装置によって送信された前記第一の情報を少なくとも受信することは、前記端末装置が複数のＰＵＣＣＨを同時に伝送することをサポートしない場合、前記ネットワーク装置が前記端末装置によって送信された前記第一の情報のみを受信すること、又は、前記端末装置が複数のＰＵＣＣＨを同時に伝送することをサポートする場合、前記ネットワーク装置が、前記端末装置が独立した２つのＰＵＣＣＨを用いてそれぞれ送信した前記第一の情報と前記第二の情報を受信することを含む。
【００３１】
一つの可能な実施形態では、前記第一の情報を送信するためのＰＵＣＣＨに占有された異なる時間領域シンボルにおける送信電力が同じである。
【００３２】
一つの可能な実施形態では、前記第一の時間位置が前記第二の時間位置の後に位置することは、前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの後に位置すること、又は、前記第一の時間位置に含まれる少なくとも一つの時間領域シンボルのうちの最後の時間領域シンボルと前記第二の時間位置に含まれる少なくとも一つの時間領域シンボルのうちの１番目の時間領域シンボルが同一の時間領域シンボルであることを含む。
【００３３】
一つの可能な実施形態では、前記制御シグナリングはダウンリンク制御情報（ＤＣＩ）又は上位層シグナリングを含む。
【００３４】
第三の態様による端末装置は、上記第一の態様又は第一の態様のいずれかの選択可能な実施形態における端末装置の操作を実行することができる。具体的には、該端末装置は、上記第一の態様又は第一の態様のいずれかの可能な実施形態における端末装置の操作を実行するためのモジュールユニットを備えることができる。
【００３５】
第四の態様によるネットワーク装置は、上記第二の態様又は第二の態様のいずれかの選択可能な実施形態におけるネットワーク装置の操作を実行することができる。具体的には、該ネットワーク装置は、上記第二の態様又は第二の態様のいずれかの可能な実施形態におけるネットワーク装置の操作を実行するためのモジュールユニットを備えることができる。
【００３６】
第五の態様による端末装置は、プロセッサ、送受信機及びメモリを備える。ここで、該プロセッサ、送受信機及びメモリは内部接続パスを介して相互に通信する。該メモリが命令を記憶するように構成され、該プロセッサが該メモリに記憶された命令を実行するように構成される。該プロセッサが該メモリに記憶された命令を実行する場合、該実行により該端末装置は第一の態様又は第一の態様の任意の可能な実施形態における方法を実行し、又は該実行により該端末装置は第三の態様による端末装置を実現する。
【００３７】
第六の態様によるネットワーク装置は、プロセッサ、送受信機及びメモリを備える。ここで、該プロセッサ、送受信機及びメモリは内部接続パスを介して相互に通信する。該メモリが命令を記憶するように構成され、該プロセッサが該メモリに記憶された命令を実行するように構成される。該プロセッサが該メモリに記憶された命令を実行する場合、該実行により該ネットワーク装置は第二の態様又は第二の態様の任意の可能な実施形態における方法を実行し、又は該実行により該ネットワーク装置は第四の態様によるネットワーク装置を実現する。
【００３８】
第七の態様によるシステムチップは、入力インタフェース、出力インタフェース、プロセッサ及びメモリを備え、該プロセッサが該メモリに記憶された命令を実行するように構成され、該命令が実行される場合、該プロセッサが前記第一の態様又は第一の態様の任意の可能な実施形態における方法を実現することができる。
【００３９】
第八の態様によるシステムチップは、入力インタフェース、出力インタフェース、プロセッサ及びメモリを備え、該プロセッサが該メモリに記憶された命令を実行するように構成され、該命令が実行される場合、該プロセッサが前記第二の態様又は第二の態様の任意の可能な実施形態における方法を実現することができる。
【００４０】
第九の態様による命令を含むコンピュータプログラム製品は、コンピュータで実行される場合、該コンピュータが上記第一の態様又は第一の態様の任意の可能な実施形態における方法を実行する。
【００４１】
第十の態様による命令を含むコンピュータプログラム製品は、コンピュータで実行される場合、該コンピュータが上記第二の態様又は第二の態様の任意の可能な実施形態における方法を実行する。
【図面の簡単な説明】
【００４２】
【図１】本出願の実施例による無線通信システムの概略図である。
【図２】本発明の実施例による情報伝送方法のプロセスインターラクション図である。
【図３（ａ）】本発明の実施例によるＳＲとフィードバック情報の伝送の概略図である。
【図３（ｂ）】本発明の実施例によるＳＲとフィードバック情報の伝送の概略図である。
【図３（ｃ）】本発明の実施例によるＳＲとフィードバック情報の伝送の概略図である。
【図４（ａ）】本発明の実施例によるＳＲとフィードバック情報の伝送の概略図である。
【図４（ｂ）】本発明の実施例によるＳＲとフィードバック情報の伝送の概略図である。
【図５】本発明の実施例による端末装置の概略ブロック図である。
【図６】本発明の実施例によるネットワーク側装置の概略ブロック図である。
【図７】本発明の実施例による通信装置の概略構造図である。
【図８】本発明の実施例によるシステムチップの概略構造図である。
【発明を実施するための形態】
【００４３】
本出願の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムなどに応用されてもよい。
【００４４】
図１に本出願の実施例に応用される無線通信システム１００が示される。該無線通信システム１００はネットワーク装置１１０を備えることができる。ネットワーク装置１１０は端末装置と通信する装置であってもよい。ネットワーク装置１１０は特定の地理的エリアに対して通信カバレッジを提供することができ、そして該カバレッジに位置する端末装置（例えばＵＥ）と通信を行うことができる。選択可能に、該ネットワーク装置１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける進化型基地局（ｅＮＢ又はｅＮｏｄｅＢ：Ｅｖｏｌｕｔｉｏｎａｌ  ＮｏｄｅＢ）であってもよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は該ネットワーク装置は中継局、アクセスポイント、車載デバイス、ウェアラブルデバイス、将来の５Ｇネットワークにおけるネットワーク側装置又は将来の進化する公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００４５】
該無線通信システム１００はさらにネットワーク装置１１０のカバレッジに位置する少なくとも一つの端末装置１２０を備える。端末装置１２０は移動式又は固定式でもよい。選択可能に、端末装置１２０はアクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化するＰＬＭＮネットワークにおける端末装置などであってもよい。
【００４６】
選択可能に、端末装置１２０同士は端末直接接続（Ｄ２Ｄ：Ｄｅｖｉｃｅ  ｔｏ  Ｄｅｖｉｃｅ）通信を行うことができる。
【００４７】
選択可能に、５Ｇシステム又はネットワークは新しい無線（ＮＲ：Ｎｅｗ  Ｒａｄｉｏ）システム又はネットワークとも呼ばれてもよい。
【００４８】
図１に一つのネットワーク装置及び２つの端末装置が例示的に示され、選択可能に、該無線通信システム１００は複数のネットワーク装置を備えることができ且つ各ネットワーク装置のカバレッジで他の数の端末装置を備えることができ、本出願の実施例はこれに限定されない。
【００４９】
選択可能に、該無線通信システム１００はさらにネットワークコントローラ、移動管理エンティティなどの他のネットワークエンティティを備えることができ、本出願の実施例はこれに限定されない。
【００５０】
ＮＲシステムでは、２つの長さのＰＵＣＣＨ、即ち長ＰＵＣＣＨ（ｌｏｎｇ  ＰＵＣＣＨ）と短ＰＵＣＣＨ（ｓｈｏｒｔ  ＰＵＣＣＨ）がサポートされる。選択可能に、短ＰＵＣＣＨが１〜２つの時間領域シンボルを含み、長ＰＵＣＣＨが４〜１４つの時間領域シンボルを含む。端末装置は異なるＰＵＣＣＨを用いて異なる情報を送信し、例えば異なるＰＵＣＣＨを用いてスケジューリングリクエスト情報（ＳＲ）とフィードバック情報（ＡＣＫ／ＮＡＣＫ）を送信することができる。
【００５１】
ＳＲを伝送するためのアップリンク制御チャネルパラメータは通常半静的に配置されるもの（例えば配置周期、オフセット、ＰＵＣＣＨリソースなど）である。端末装置がＳＲを有する場合、対応するリソースで該ＳＲを含むためのＰＵＣＣＨを伝送し、端末装置がスケジューリング要求を有していない場合、対応するリソースでいかなる情報を送信しない。ＳＲの伝送周期は最小Ｘ個の時間領域シンボル（少なくとも短ＰＵＣＣＨを用いて伝送されたＳＲに対する）に等してもよく、Ｘの値が例えば１であってもよい。例えば、ＳＲが長ＰＵＣＣＨ（例えばＰＵＣＣＨフォーマット）１（ＰＵＣＣＨ  ｆｏｒｍａｔ  １）を用いて伝送されるように配置されてもよく、ＡＣＫ／ＮＡＣＫは短ＰＵＣＣＨ（例えばＰＵＣＣＨ  ｆｏｒｍａｔ  ２）を用いるように配置されてもよい。
【００５２】
ＳＲとＡＣＫ／ＮＡＣＫの伝送が時間領域で衝突する場合、どのようにＳＲとＡＣＫ／ＮＡＣＫを送信するかは、解決すべき問題となる。
【００５３】
本出願の実施例では、端末装置はダウンリンク制御シグナリングを受信する時間に基づき、該制御シグナリングに関連する情報と他の情報がどのように効果的に伝送されるかを確定し、それによって２つの異なる長さのＰＵＣＣＨがある場合でも、異なる情報の伝送を効果的に行うことができる。
【００５４】
図２は本出願の実施例による情報伝送方法のプロセスインターラクション図である。図２に示すネットワーク装置は例えば図１に示すネットワーク装置１１０であってもよく、図２に示す端末装置は例えば図１に示す端末装置１２０であってもよい。図２に示すように、該情報伝送方法は以下のステップを含む。
【００５５】
２１０において、ネットワーク装置は第一の時間位置において端末装置へ制御シグナリングを送信する。
【００５６】
２２０において、該端末装置は該第一の時間位置において該ネットワーク装置によって送信された該制御シグナリングを受信する。
【００５７】
選択可能に、該制御シグナリングはダウンリンク制御情報（ＤＣＩ：Ｄｏｗｍｌｏａｄ  Ｃｏｎｔｒｏｌ  Ｉｎｆｏｒｍａｔｉｏｎ）又は上位層シグナリングを含む。例えば、該制御シグナリングは物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）によって伝送されてもよい。該制御シグナリングは、動的物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）の伝送をスケジューリングすること、又は半静的ＰＤＳＣＨ伝送をアクティブにすることに用いられ、又は半静的スケジューリング（ＳＰＳ：Ｓｅｍｉ−Ｐｅｒｓｉｓｔｅｎｔ  Ｓｃｈｅｄｕｌｉｎｇ）リソース解放、又は帯域幅部分（ＢＷＰ：Ｂａｎｄｗｉｄｔｈ  Ｐａｒｔ）のアクティブ化／非アクティブ化、又は搬送波のアクティブ化／非アクティブ化などを示すことに用いられてもよい。
【００５８】
２３０において、該端末装置は該第一の時間位置に基づき、該ネットワーク装置へ第一の情報及び／又は該制御シグナリングに関連する第二の情報を送信する。
【００５９】
ここで、該第一の情報を送信するように配置される第二の時間位置と該第二の情報を送信するように配置される第三の時間位置は少なくとも部分的に重なる。
【００６０】
選択可能に、前記第一の情報はスケジューリングリクエスト情報又は周期的チャネル状態情報である。
【００６１】
選択可能に、前記第二の情報はフィードバック情報、アップリンクデータ又は非周期的チャネル状態情報である。
【００６２】
理解すべきものとして、該第二の情報は該制御シグナリングに対応する情報であり、即ち該第二の情報は該制御シグナリングと関連する。例えば、該第二の情報は該制御シグナリングによってスケジューリングされた情報、該制御シグナリングによってトリガされた情報又は該制御シグナリングに対するフィードバック情報などであってもよい。
【００６３】
例えば、該第二の情報は該制御シグナリングによってスケジューリングされたアップリンクデータであってもよく、又は該第二の情報は該制御シグナリングによってトリガされた非周期的チャネル状態情報（例えば非周期的に送信されたチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、又は該制御情報をフィードバックするための、該制御シグナリングに対するフィードバック情報（例えばＡＣＫ又はＮＡＣＫ）であってもよい。
【００６４】
該第一の情報は、該制御シグナリングとは無関連の情報であり、該第一の情報の送信が該制御シグナリングと関連せず、該制御シグナリングに基づいてスケジューリングされた情報又は該制御シグナリングに対して送信された情報ではない。例えば、該第一の情報はスケジューリングリクエスト情報（ＳＲ）、又は周期的チャネル状態情報（例えば周期的に送信されたＣＳＩ−ＲＳであり、ここで該ＣＳＩ−ＲＳの伝送周期がネットワークによって端末装置に予め配置されてもよい）、又は該制御シグナリングに基づいてスケジューリングされない他の情報であってもよい。
【００６５】
該第二の時間位置と第三の時間位置が少なくとも部分的に重なるように配置される場合、該端末装置は該制御シグナリングを受信する該第一の時間位置に基づき、第一の情報と第二の情報の送信方式を確定する。該第二の情報は該制御シグナリングに関連する情報、例えば該制御シグナリングに対するフィードバック情報又は該制御シグナリングによってスケジューリングされた情報である。
【００６６】
選択可能に、該第二の時間位置は予め配置されたもの又はネットワーク装置によって配置された、第一の情報を伝送するための時間位置であり、例えばネットワーク装置は該第一の情報の伝送周期、オフセット量、ＰＵＣＣＨリソースなどを配置することができる。理解すべきものとして、該第二の時間位置は元の使用されるべき、第一の情報を伝送するための時間位置であるが、最終的に該時間位置において該第一の情報を伝送するか否かは第一の時間位置の要因を考慮する必要がある。
【００６７】
選択可能に、該第三の時間位置は予め配置されたもの又はネットワーク装置によって配置された、第一の情報を伝送するように配置された時間位置であり、例えばネットワーク装置は該第三の時間位置の情報を上記制御シグナリングに含ませて端末装置に示すことができる。理解すべきものとして、該第三の時間位置は元の使用されるべき、第二の情報を伝送するための時間位置であるが、最終的に該時間位置において該第二の情報を伝送するか否かは第一の時間位置の要因を考慮する必要がある。
【００６８】
該第二の時間位置と第三の時間位置が少なくとも部分的に重なる場合、該端末装置は該制御シグナリングを受信する該第一の時間位置に基づき、第一の情報及び／又は第二の情報を送信するか否か及び第一の情報及び／又は第二の情報を送信するための時間又はチャネルリソースを確定し、該第二の時間位置と第三の時間位置が重ならない場合、該端末装置は該第二の時間位置において該第一の情報を送信し、そして該第三の時間位置において該制御シグナリングに関連する第二の情報を送信することができる。
【００６９】
２４０において、該ネットワーク装置は該端末装置が該第一の時間位置に基づいて送信した第一の情報及び／又は該制御シグナリングに関連する第二の情報を受信する。
【００７０】
ここで、該第一の情報を受信するように配置される第二の時間位置と該第二の情報を受信するように配置される第三の時間位置は少なくとも部分的に重なる。
【００７１】
該第二の時間位置と第三の時間位置が少なくとも部分的に重なる場合、該ネットワーク装置は該制御シグナリングを受信する該第一の時間位置に基づき、第一の情報及び／又は第二の情報を受信するか否か及び第一の情報及び／又は第二の情報を受信するための時間又はチャネルリソースを確定することができる。該第二の時間位置と第三の時間位置が重ならない場合、該ネットワーク装置は該第二の時間位置において該第一の情報を受信し、そして該第三の時間位置において該制御シグナリングに関連する該第二の情報を受信することができる。
【００７２】
したがって、端末装置はダウンリンク制御シグナリングを受信する時間に基づき、該制御シグナリングに関連する情報と他の情報がどのように効果的に伝送されるかを確定し、それによって２つの異なる長さのＰＵＣＣＨがある場合でも、異なる情報の伝送を効果的に行うことができる。
【００７３】
本出願の実施例では第一の時間位置が第二の時間位置の間に位置すること、及び第一の時間位置が第二の時間位置の後に位置することの２つの場合がある。以下でこの２つの場合の第一の情報と第二の情報の伝送をそれぞれ説明する。
【００７４】
場合１
選択可能に、２３０において、該第一の時間位置が該第二の時間位置の前に位置する場合、該端末装置は多重伝送方式を用いて該第二の情報と該第一の情報を送信する。
【００７５】
これに対応して、該第一の時間位置が該第二の時間位置の前に位置する場合、ネットワーク装置は端末装置が多重伝送方式を用いて送信した該第二の情報と該第一の情報を受信する。
【００７６】
選択可能に、該第一の時間位置が該第二の時間位置の前に位置することは、該第一の時間位置に含まれる少なくとも一つの時間領域シンボルのうちの最後の時間領域シンボルが、該第二の時間位置に含まれる少なくとも一つの時間領域シンボルのうちの１番目の時間領域シンボルの前に位置することを含む。
【００７７】
選択可能に、該多重伝送方式とは該第二の情報と該第一の情報をパケット化して伝送することを指す。例えば同一の制御チャネルを用いて該第二の情報と該第一の情報を伝送する。
【００７８】
選択可能に、端末装置が多重伝送方式を用いて該第二の情報と該第一の情報を送信することは、該端末装置が該第三の時間位置において、多重伝送方式を用いて該第二の情報と該第一の情報を送信することを含む。これに対応して、ネットワーク装置は該第三の時間位置において、端末装置が多重伝送方式を用いて送信した該第二の情報と該第一の情報を受信する。
【００７９】
選択可能に、端末装置が多重伝送方式を用いて該第二の情報と該第一の情報を送信することは、該端末装置が該第二の情報を伝送するためのＰＵＣＣＨを用いて該第二の情報と該第一の情報を送信することを含む。これに対応して、ネットワーク装置は端末装置が該第二の情報を伝送するためのＰＵＣＣＨを用いて送信した該第二の情報と該第一の情報を受信する。
【００８０】
選択可能に、端末装置が多重伝送方式を用いて該第二の情報と該第一の情報を送信することは、該端末装置が該制御シグナリングに示されるＰＵＣＣＨを用いて該第二の情報と該第一の情報を送信することを含む。これに対応して、ネットワーク装置は端末装置が該制御シグナリングに示されるＰＵＣＣＨを用いて送信した該第二の情報と該第一の情報を受信する。
【００８１】
例えば、図３（ａ）〜図３（ｃ）を例とし、該第一の情報がＳＲであり、第二の情報が該制御シグナリングに対するフィードバック情報であると仮定する。端末装置は第一の時間位置において、ネットワーク装置から送信された制御シグナリングを受信し、該制御シグナリングが第三の時間位置において該制御シグナリングのフィードバック情報を送信するように該端末装置に指示し、ここで、該フィードバック情報を伝送するためのＰＵＣＣＨが短ＰＵＣＣＨ（ＰＵＣＣＨ  ｆｏｒｍａｔ  ２）であってもよい。該端末装置が配置に基づいて確定した、スケジューリング情報（ＳＲ）を伝送するための第二の時間位置は、該第一の時間位置の後に位置し（即ち第一の時間位置が第二の時間位置の前に位置し）、ここで、該ＳＲを伝送するためのＰＵＣＣＨが長ＰＵＣＣＨ（ＰＵＣＣＨ  ｆｏｒｍａｔ  １）であってもよい。これから分かるように、第二の時間位置と第三の時間位置が少なくとも部分的に重なり、端末装置がネットワーク装置から送信された制御シグナリングを受信する第一の時間位置が第二の時間位置の前に位置する場合、該端末装置は該ＰＵＣＣＨを用いて該第一の時間位置において該ＳＲを送信することに適せず、第三の時間位置まで待機し、該ＳＲと該フィードバック情報が該フィードバック情報を伝送するための該短ＰＵＣＣＨを共同で用いて伝送される。
【００８２】
場合２
選択可能に、２３０において、該第一の時間位置が該第二の時間位置の後に位置し、そして該第一の情報が正である場合、該端末装置は該第一の情報を少なくとも送信し、該第一の時間位置が該第二の時間位置の後に位置し、そして該第一の情報が負である場合、該端末装置は該第二の情報のみを送信する。
【００８３】
これに対応して、該第一の時間位置が該第二の時間位置の後に位置し、そして該第一の情報が正である場合、該ネットワーク装置は該端末装置から送信された該第一の情報を少なくとも受信することができ、該第一の時間位置が該第二の時間位置の後に位置し、そして該第一の情報が負である場合、該ネットワーク装置は該端末装置から送信された該第二の情報のみを受信することができる。
【００８４】
選択可能に、該第一の時間位置が該第二の時間位置の後に位置することは、該第一の時間位置に含まれる少なくとも一つの時間領域シンボルのうちの最後の時間領域シンボルが、該第二の時間位置に含まれる少なくとも一つの時間領域シンボルのうちの１番目の時間領域シンボルの後に位置すること、又は、該第一の時間位置に含まれる少なくとも一つの時間領域シンボルのうちの最後の時間領域シンボルと該第二の時間位置に含まれる少なくとも一つの時間領域シンボルのうちの１番目の時間領域シンボルが同一の時間領域シンボルであることを含む。
【００８５】
選択可能に、該第一の情報が正である場合、該第一の情報があることを示し、該第一の情報が負である場合、該第一の情報がないことを示す。
【００８６】
選択可能に、該第一の時間位置が該第二の時間位置の後に位置し、そして該第一の情報が正である場合、該端末装置が該第一の情報を少なくとも送信することは、該端末装置が複数のＰＵＣＣＨを同時に伝送することをサポートしない場合、該端末装置が該第一の情報のみを送信すること、又は、該端末装置が複数のＰＵＣＣＨを同時に伝送することをサポートする場合、該端末装置が独立した２つのＰＵＣＣＨを用いて該第一の情報と該第二の情報をそれぞれ送信することを含む。
【００８７】
これに対応して、該第一の時間位置が該第二の時間位置の後に位置し、そして該第一の情報が正であり、該端末装置が複数のＰＵＣＣＨを同時に伝送することをサポートしない場合、ネットワーク装置は該端末装置から送信された該第一の情報のみを受信することができ、該端末装置が複数のＰＵＣＣＨを同時に伝送することをサポートする場合、該ネットワーク装置は該端末装置から送信された該第一の情報だけでなく、該端末装置から送信された該第二の情報を受信することができ、ここで該第一の情報と該第二の情報が独立した２つのＰＵＣＣＨを用いて該端末装置によってそれぞれ送信される。
【００８８】
ここで、選択可能に、該第一の情報を送信するためのＰＵＣＣＨに占有された全ての時間領域シンボルにおいて、該第一の情報の送信電力がいずれも同じである。
【００８９】
ここで、選択可能に、該第一の情報は長ＰＵＣＣＨを用いて伝送された情報であり、該第二の情報は短ＰＵＣＣＨを用いて伝送された情報であり、又は、該第一の情報は短ＰＵＣＣＨを用いて伝送された情報であり、該第二の情報が長ＰＵＣＣＨを用いて伝送された情報である。
【００９０】
例えば、図４（ａ）と図４（ｂ）に示すように、該第一の情報がＳＲであり、第二の情報が該制御シグナリングに対するフィードバック情報であると仮定する。端末装置は第一の時間位置において、ネットワーク装置から送信された制御シグナリングを受信し、該制御シグナリングが第三の時間位置において該制御シグナリングのフィードバック情報を送信するように該端末装置に指示し、ここで、該フィードバック情報を伝送するためのＰＵＣＣＨが短ＰＵＣＣＨ（ＰＵＣＣＨ  ｆｏｒｍａｔ  ２）であってもよい。該端末装置が配置に基づいて確定した、スケジューリング情報（ＳＲ）を伝送するための第二の時間位置は該第一の時間位置の前に位置し（即ち第一の時間位置が第二の時間位置の後に位置し）、ここで、該ＳＲを伝送するためのＰＵＣＣＨが長ＰＵＣＣＨ（ＰＵＣＣＨ  ｆｏｒｍａｔ  １）であってもよい。これから分かるように、第二の時間位置と第三の時間位置が少なくとも部分的に重なり、端末装置がネットワーク装置から送信された制御シグナリングを受信する第一の時間位置が第二の時間位置の後に位置する場合、ＳＲが正である（即ちスケジューリングリクエストがある）時に、該端末装置は長ＰＵＣＣＨを用いてＳＲを送信する必要があり、長ＰＵＣＣＨに時間領域スペクトル拡散技術が用いられるため、この時にＳＲの伝送を早く終止する場合、直交性が破壊され、従ってＳＲの伝送を継続するべきである。
【００９１】
さらに、該端末装置が複数のＰＵＣＣＨを同時に伝送することをサポートする場合、端末装置は短ＰＵＣＣＨを同時に用いて該フィードバック情報を送信することができ、該端末装置が複数のＰＵＣＣＨを同時に伝送することをサポートしない場合、該フィードバック情報を破棄する。
【００９２】
ＳＲが負である（スケジューリングリクエストがない）場合、該端末装置は短ＰＵＣＣＨのみを用いてフィードバック情報ＡＣＫ／ＮＡＣＫを送信する。
【００９３】
図５は本出願の実施例による端末装置５００の概略ブロック図である。図５に示すように、該端末装置５００は受信ユニット５１０と送信ユニット５２０を備える。
【００９４】
受信ユニット５１０は第一の時間位置においてネットワーク装置から送信された制御シグナリングを受信するように構成される。
【００９５】
送信ユニット５２０は前記受信ユニットが前記制御シグナリングを受信する前記第一の時間位置に基づき、前記ネットワーク装置へ第一の情報及び／又は前記制御シグナリングに関連する第二の情報を送信するように構成される。
【００９６】
ここで、前記第一の情報を送信するように配置される第二の時間位置と前記第二の情報を送信するように配置される第三の時間位置は少なくとも部分的に重なる。
【００９７】
したがって、端末装置はダウンリンク制御シグナリングを受信する時間に基づき、該制御シグナリングに関連する情報と他の情報がどのように効果的に伝送されるかを確定し、それによって２つの異なる長さのＰＵＣＣＨがある場合でも、異なる情報の伝送を効果的に行うことができる。
【００９８】
選択可能に、前記第一の情報はスケジューリングリクエスト情報又は周期的チャネル状態情報である。
【００９９】
選択可能に、前記第二の情報はフィードバック情報、アップリンクデータ又は非周期的チャネル状態情報である。
【０１００】
選択可能に、前記送信ユニット５２０は具体的に前記第一の時間位置が前記第二の時間位置の前に位置する場合、多重伝送方式を用いて前記第二の情報と前記第一の情報を送信するように構成される。
【０１０１】
選択可能に、前記送信ユニット５２０は具体的に前記第三の時間位置において、多重伝送方式を用いて前記第二の情報と前記第一の情報を送信するように構成される。
【０１０２】
選択可能に、前記送信ユニット５２０は具体的に前記第二の情報を伝送するためのＰＵＣＣＨを用いて前記第二の情報と前記第一の情報を送信するように構成される。
【０１０３】
選択可能に、前記送信ユニット５２０は具体的に前記制御シグナリングに示すＰＵＣＣＨを用いて前記第二の情報と前記第一の情報を送信するように構成される。
【０１０４】
選択可能に、前記第一の時間位置が前記第二の時間位置の前に位置することは、前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの前に位置することを含む。
【０１０５】
選択可能に、前記送信ユニット５２０は具体的に、前記第一の時間位置が前記第二の時間位置の後に位置し、そして前記第一の情報が正である場合、前記第一の情報を少なくとも送信し、又は、前記第一の時間位置が前記第二の時間位置の後に位置し、そして前記第一の情報が負である場合、前記第二の情報のみを送信するように構成される。
【０１０６】
選択可能に、前記第一の時間位置が前記第二の時間位置の後に位置し、そして前記第一の情報が正である場合、前記送信ユニット５２０は具体的に、前記端末装置が複数のＰＵＣＣＨを同時に伝送することをサポートしない場合、前記第一の情報のみを送信するように構成され、又は、前記端末装置が複数のＰＵＣＣＨを同時に伝送することをサポートする場合、独立した２つのＰＵＣＣＨを用いて前記第一の情報と前記第二の情報をそれぞれ送信するように構成される。
【０１０７】
選択可能に、前記第一の情報を送信するためのＰＵＣＣＨに占有された異なる時間領域シンボルにおける送信電力が同じである。
【０１０８】
選択可能に、前記第一の時間位置が前記第二の時間位置の後に位置することは、前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの後に位置すること、又は、前記第一の時間位置に含まれる少なくとも一つの時間領域シンボルのうちの最後の時間領域シンボルと前記第二の時間位置に含まれる少なくとも一つの時間領域シンボルのうちの１番目の時間領域シンボルが同一の時間領域シンボルであることを含む。
【０１０９】
選択可能に、前記制御シグナリングはダウンリンク制御情報（ＤＣＩ）又は上位層シグナリングを含む。
【０１１０】
理解すべきものとして、該端末装置５００は上記方法２００における端末装置によって実行された対応操作を実行することができ、簡潔にするために、ここで説明を省略する。
【０１１１】
図６は本出願の実施例によるネットワーク装置６００の概略ブロック図である。図６に示すように、該ネットワーク装置６００は送信ユニット６１０と受信ユニット６２０を備える。
【０１１２】
送信ユニット６１０は第一の時間位置において端末装置へ制御シグナリングを送信するように構成される。
【０１１３】
受信ユニット６２０は前記端末装置が前記第一の時間位置に基づいて送信した第一の情報及び／又は前記制御シグナリングに関連する第二の情報を受信するように構成される。
【０１１４】
ここで前記第一の情報を送信するように配置される第二の時間位置と前記第二の情報を送信するように配置される第三の時間位置は少なくとも部分的に重なる。
【０１１５】
したがって、ネットワーク装置はダウンリンク制御シグナリングを送信する時間に基づき、該制御シグナリングに関連する情報と他の情報がどのように効果的に受信されるかを確定し、それによって２つの異なる長さのＰＵＣＣＨがある場合でも、異なる情報の伝送を効果的に行うことができる。
【０１１６】
選択可能に、前記第一の情報はスケジューリングリクエスト情報又は周期的チャネル状態情報である。
【０１１７】
選択可能に、前記第二の情報はフィードバック情報、アップリンクデータ又は非周期的チャネル状態情報である。
【０１１８】
選択可能に、前記受信ユニット６２０は具体的に前記第一の時間位置が前記第二の時間位置の前に位置する場合、前記端末装置が多重伝送方式を用いて送信した前記第二の情報と前記第一の情報を受信するように構成される。
【０１１９】
選択可能に、前記受信ユニット６２０は具体的に前記第三の時間位置において、前記端末装置が多重伝送方式を用いて送信した前記第二の情報と前記第一の情報を受信するように構成される。
【０１２０】
選択可能に、前記受信ユニット６２０は具体的に前記端末装置が前記第二の情報を伝送するためのＰＵＣＣＨを用いて送信した前記第二の情報と前記第一の情報を受信するように構成される。
【０１２１】
選択可能に、前記受信ユニット６２０は具体的に前記端末装置が前記制御シグナリングに示されるＰＵＣＣＨを用いて送信した前記第二の情報と前記第一の情報を受信するように構成される。
【０１２２】
選択可能に、前記第一の時間位置が前記第二の時間位置の前に位置することは、前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの前に位置することを含む。
【０１２３】
選択可能に、前記受信ユニット６２０は具体的に前記第一の時間位置が前記第二の時間位置の後に位置し、そして前記第一の情報が正である場合、前記端末装置から送信された前記第一の情報を少なくとも受信するように構成され、又は、前記第一の時間一が前記第二の時間位置の後に位置し、そして前記第一の情報が負である場合、前記端末装置から送信された前記第二の情報のみを受信するように構成される。
【０１２４】
選択可能に、前記第一の時間位置が前記第二の時間位置の後に位置し、そして前記第一の情報が正である場合、前記受信ユニット６２０は具体的に、前記端末装置が複数のＰＵＣＣＨを同時に伝送することをサポートしない場合、前記端末装置から送信された前記第一の情報のみを受信するように構成され、又は、前記端末装置が複数のＰＵＣＣＨを同時に伝送することをサポートする場合、前記端末装置が独立した２つのＰＵＣＣＨを用いてそれぞれ送信した前記第一の情報と前記第二の情報を受信するように構成される。
【０１２５】
選択可能に、前記第一の情報を送信するためのＰＵＣＣＨに占有された異なる時間領域シンボルにおける送信電力が同じである。
【０１２６】
選択可能に、前記第一の時間位置が前記第二の時間位置の後に位置することは、前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの後に位置すること、又は、前記第一の時間位置に含まれる少なくとも一つの時間領域シンボルのうちの最後の時間領域シンボルと前記第二の時間位置に含まれる少なくとも一つの時間領域シンボルのうちの１番目の時間領域シンボルが同一の時間領域シンボルであることを含む。
【０１２７】
選択可能に、前記制御シグナリングはダウンリンク制御情報（ＤＣＩ）又は上位層シグナリングを含む。
【０１２８】
理解すべきものとして、該ネットワーク装置６００は上記方法２００におけるネットワーク装置によって実行された対応操作を実行することができ、簡潔にするために、ここで説明を省略する。
【０１２９】
図７は本出願の実施例による通信装置７００の概略構造図である。図７に示すように、該通信装置はプロセッサ７１０、送受信機７２０及びメモリ７３０を備え、ここで、該プロセッサ７１０、送受信機７２０及びメモリ７３０が内部接続パスを介して相互に通信する。該メモリ７３０は命令を記憶するように構成され、該プロセッサ７１０は、信号を受信又は送信するように該送受信機７２０を制御するように、該メモリ７３０に記憶された命令を実行するように構成される。
【０１３０】
選択可能に、該プロセッサ７１０はメモリ７３０に記憶されたプログラムコードを呼び出し、方法２００における端末装置によって実行される対応操作を実行することができ、簡潔にするために、説明を省略する。
【０１３１】
選択可能に、該プロセッサ７１０はメモリ７３０に記憶されたプログラムコードを呼び出し、方法２００におけるネットワーク装置によって実行される対応操作を実行することができ、簡潔にするために、説明を省略する。
【０１３２】
理解すべきものとして、本出願の実施例におけるプロセッサは信号処理機能を有する集積回路チップである可能性がある。実施プロセスでは、上記方法の実施例における各ステップは、プロセッサ内のハードウェアの集積論理回路又はソフトウェアの形の命令によって完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本出願の実施例において開示される各方法、ステップ及び論理ブロック図を実現又は実行することができる。汎用プロセッサはマイクロプロセッサであってもよく、又は該プロセッサはいずれかの従来のプロセッサなどであってもよい。本出願の実施例と組み合わせて開示された方法のステップはハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける情報を読み取り、そのハードウェアと組み合わせて上記方法のステップを完了する。
【０１３３】
本出願の実施例におけるメモリは揮発性記憶装置又は不揮発性記憶装置であってもよく、又は揮発性記憶装置及び不揮発性記憶装置両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲ  ＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本出願で説明されるシステムと方法のメモリはこれらといずれかの他の適切なタイプのメモリを含むことを図るがこれらに限定されない。
【０１３４】
図８は本出願の実施例によるシステムチップの概略構造図である。図８のシステムチップ８００は、入力インタフェース８０１、出力インタフェース８０２、少なくとも一つのプロセッサ８０３、及びメモリ８０４を備え、前記入力インタフェース８０１、出力インタフェース８０２、前記プロセッサ８０３及びメモリ８０４が内部接続パスを介して相互に接続される。前記プロセッサ８０３は前記メモリ８０４でのコードを実行するように構成される。
【０１３５】
選択可能に、前記コードが実行される場合、前記プロセッサ８０３は方法２００における端末装置によって実行される対応操作を実現することができる。簡潔にするために、ここでは説明を省略する。
【０１３６】
選択可能に、前記コードが実行される場合、前記プロセッサ８０３は方法２００におけるネットワーク装置によって実行される対応操作を実現することができる。簡潔にするために、ここでは説明を省略する。
【０１３７】
理解すべきものとして、本発明の実施例では、「Ａに相応（対応）するＢ」がＢがＡと関連することを示し、Ａに基づいてＢを確定することができる。しかし、理解すべきものとして、Ａに基づいてＢを確定することはＡのみに基づいてＢを確定することを意味せず、Ａ及び／又は他の情報に基づいてＢを確定することができる。
【０１３８】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定応用と設計制約条件に依存する。当業者は各特定の応用に対して異なる方法を用いて記述される機能を実現することが可能であるが、但しこのような実現は本出願の範囲を超えると見なしてはならない。
【０１３９】
当業者は、便宜上及び簡潔に説明するために、上記のシステム、装置及びユニットの具体的な動作プロセスについて、前記方法の実施例における対応するプロセスを参照できるため、ここでは説明を省略することを明確に理解することができる。
【０１４０】
本出願が提供する、いくつかの実施例では、開示されたシステム、装置及び方法は、他の方式により実現されてもよいと理解すべきである。例えば、上記の装置の実施例は例示的なものに過ぎず、例えば、該ユニットの区分は、論理機能的区分であり、実際に実施する時に他の区分方式もあり得る。例えば、複数のユニット又は構成要素は組み合わせてもよく、又は他のシステムに統合されてもよく、又はいくつかの特徴は無視されてもよく、又は実行されなくてもよい。また、示される又は議論される相互結合又は直接結合又は通信接続はいくつかのインタフェース、装置又はユニットを介する間接的結合又は通信接続であってもよく、電気的、機械的又は他の形態であってもよい。
【０１４１】
分離部材として説明された前記ユニットは物理的に分離するものであってもよく又は物理的に分離するものでなくてもよく、ユニットとして表示された部材は物理的要素であってもよく又は物理的ユニットでなくてもよく、即ち一つの箇所に位置してもよく、又は複数のネットワーク要素に分布してもよい。実際のニーズに応じてそのうちの一部又は全てのユニットを選択して本実施例の技術的解決策の目的を達成することができる。
【０１４２】
また、本出願の各実施例における各機能ユニットは一つの監視ユニットに統合されてもよく、個々のユニットは単独で物理的に存在してもよく、二つ又は二つ以上のユニットは一つのユニットに統合されてもよい。
【０１４３】
前記機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例に記載された方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１４４】
以上は、本出願の実施例の具体的な実施形態であって、本出願の保護範囲はこれに制限されず、当業者が本出願で開示された技術範囲内で容易に想到し得る変化又は入れ替わりが全て本出願の保護範囲内に含まれるべきである。従って、本出願の保護範囲は前記請求項の保護範囲に準拠するべきである。
【図１】
2021515419.tif 000003
【図２】
2021515419.tif 000004
【図３（ａ）】
2021515419.tif 000005
【図３（ｂ）】
2021515419.tif 000006
【図３（ｃ）】
2021515419.tif 000007
【図４（ａ）】
2021515419.tif 000008
【図４（ｂ）】
2021515419.tif 000009
【図５】
2021515419.tif 000010
【図６】
2021515419.tif 000011
【図７】
2021515419.tif 000012
【図８】
2021515419.tif 000013
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
情報伝送方法であって、
端末装置が第一の時間位置においてネットワーク装置から送信された制御シグナリングを受信することと、
前記端末装置が前記第一の時間位置に基づき、前記ネットワーク装置へ第一の情報及び／又は前記制御シグナリングに関連する第二の情報を送信することとを含み、
ここで、前記第一の情報を送信するように配置される第二の時間位置と前記第二の情報を送信するように配置される第三の時間位置は少なくとも部分的に重なる、前記情報伝送方法。
【請求項２】
前記第一の情報はスケジューリングリクエスト情報又は周期的チャネル状態情報であることを特徴とする
請求項１に記載の情報伝送方法。
【請求項３】
前記第二の情報は肯定確認（ＡＣＫ）又は否定確認（ＮＡＣＫ）情報、アップリンクデータ又は非周期的チャネル状態情報であることを特徴とする
請求項１又は２に記載の情報伝送方法。
【請求項４】
前記端末装置が前記第一の時間位置に基づき、前記ネットワーク装置へ第一の情報及び／又は前記制御シグナリングに関連する第二の情報を送信することは、
前記第一の時間位置が前記第二の時間位置の前に位置する場合、前記端末装置が多重伝送方式を用いて前記第二の情報と前記第一の情報を送信することを含むことを特徴とする
請求項１−３のいずれか一項に記載の情報伝送方法。
【請求項５】
前記端末装置が多重伝送方式を用いて前記第二の情報と前記第一の情報を送信することは、
前記端末装置が前記第三の時間位置において、多重伝送方式を用いて前記第二の情報と前記第一の情報を送信することを含み、
又は、
前記端末装置が前記第二の情報を伝送するための物理アップリンク制御チャネル（ＰＵＣＣＨ）を用い、前記第二の情報と前記第一の情報を送信することを含み、
又は、
前記端末装置が前記制御シグナリングに示されるＰＵＣＣＨを用いて前記第二の情報と前記第一の情報を送信することを含むことを特徴とする
請求項４に記載の情報伝送方法。
【請求項６】
前記第一の時間位置が前記第二の時間位置の前に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの前に位置することを含むことを特徴とする
請求項５に記載の情報伝送方法。
【請求項７】
前記端末装置が前記第一の時間位置に基づき、前記ネットワーク装置へ第一の情報及び／又は前記制御シグナリングに関連する第二の情報を送信することは、
前記第一の時間位置が前記第二の時間位置の後に位置し、そして前記第一の情報が正である場合、前記端末装置が前記第一の情報を少なくとも送信すること、又は、
前記第一の時間位置が前記第二の時間位置の後に位置し、そして前記第一の情報が負である場合、前記端末装置が前記第二の情報のみを送信することを含むことを特徴とする
請求項１−３のいずれか一項に記載の情報伝送方法。
【請求項８】
前記第一の時間位置が前記第二の時間位置の後に位置し、そして前記第一の情報が正である場合、前記端末装置が前記第一の情報を少なくとも送信することは、
前記端末装置が複数のＰＵＣＣＨを同時に伝送することをサポートしない場合、前記端末装置が前記第一の情報のみを送信すること、又は、
前記端末装置が複数のＰＵＣＣＨを同時に伝送することをサポートする場合、前記端末装置が独立した２つのＰＵＣＣＨを用いて前記第一の情報と前記第二の情報をそれぞれ送信することを含むことを特徴とする
請求項７に記載の情報伝送方法。
【請求項９】
前記第一の情報を送信するためのＰＵＣＣＨに占有された異なる時間領域シンボルにおける送信電力が同じであることを特徴とする
請求項８に記載の情報伝送方法。
【請求項１０】
前記第一の時間位置が前記第二の時間位置の後に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの後に位置すること、又は、前記第一の時間位置に含まれる少なくとも一つの時間領域シンボルのうちの最後の時間領域シンボルと前記第二の時間位置に含まれる少なくとも一つの時間領域シンボルのうちの１番目の時間領域シンボルが同一の時間領域シンボルであることを含むことを特徴とする
請求項７−９のいずれか一項に記載の情報伝送方法。
【請求項１１】
前記制御シグナリングはダウンリンク制御情報（ＤＣＩ）又は上位層シグナリングを含むことを特徴とする
請求項１−１０のいずれか一項に記載の情報伝送方法。
【請求項１２】
情報伝送方法であって、
ネットワーク装置が第一の時間位置において端末装置へ制御シグナリングを送信することと、
前記ネットワーク装置が、前記端末装置が前記第一の時間位置に基づいて送信した第一の情報及び／又は前記制御シグナリングに関連する第二の情報を受信することとを含み、
ここで、前記第一の情報を送信するように配置される第二の時間位置と前記第二の情報を送信するように配置される第三の時間位置は少なくとも部分的に重なる、前記情報伝送方法。
【請求項１３】
前記ネットワーク装置が、前記端末装置が前記第一の時間位置に基づいて送信した第一の情報及び／又は前記制御シグナリングに関連する第二の情報を受信することは、
前記第一の時間位置が前記第二の時間位置の前に位置する場合、前記ネットワーク装置が、前記端末装置が多重伝送方式を用いて送信した前記第二の情報と前記第一の情報を受信することを含むことを特徴とする
請求項１２に記載の情報伝送方法。
【請求項１４】
前記ネットワーク装置が、前記端末装置が多重伝送方式を用いて送信した前記第二の情報と前記第一の情報を受信することは、
前記ネットワーク装置が前記第三の時間位置において、前記端末装置が多重伝送方式を用いて送信した前記第二の情報と前記第一の情報を受信することを含み、
又は、
前記ネットワーク装置が、前記端末装置が前記第二の情報を伝送するためのＰＵＣＣＨを用いて送信した前記第二の情報と前記第一の情報を受信することを含み、
又は、
前記ネットワーク装置が、前記端末装置が前記制御シグナリングに示されるＰＵＣＣＨを用いて送信した前記第二の情報と前記第一の情報を受信することを含むことを特徴とする
請求項１３に記載の情報伝送方法。
【請求項１５】
前記ネットワーク装置が、前記端末装置が前記第一の時間位置に基づいて送信した第一の情報及び／又は前記制御シグナリングに関連する第二の情報を受信することは、
前記第一の時間位置が前記第二の時間位置の後に位置し、そして前記第一の情報が正である場合、前記ネットワーク装置が前記端末装置から送信された前記第一の情報を少なくとも受信すること、又は、
前記第一の時間位置が前記第二の時間位置の後に位置し、そして前記第一の情報が負である場合、前記ネットワーク装置が前記端末装置から送信された前記第二の情報のみを受信することを含むことを特徴とする
請求項１２に記載の情報伝送方法。
【請求項１６】
前記第一の時間位置が前記第二の時間位置の後に位置し、そして前記第一の情報が正である場合、前記ネットワーク装置が前記端末装置から送信された前記第一の情報を少なくとも受信することは、
前記端末装置が複数のＰＵＣＣＨを同時に伝送することをサポートしない場合、前記ネットワーク装置が前記端末装置から送信された前記第一の情報のみを受信すること、又は、
前記端末装置が複数のＰＵＣＣＨを同時に伝送することをサポートする場合、前記ネットワーク装置が、前記端末装置が独立した２つのＰＵＣＣＨを用いてそれぞれ送信した前記第一の情報と前記第二の情報を受信することを含むことを特徴とする
請求項１５に記載の情報伝送方法。
【請求項１７】
端末装置であって、
第一の時間位置においてネットワーク装置から送信された制御シグナリングを受信するように構成される受信ユニットと、
前記受信ユニットが前記制御シグナリングを受信する前記第一の時間位置に基づき、前記ネットワーク装置へ第一の情報及び／又は前記制御シグナリングに関連する第二の情報を送信するように構成される送信ユニットとを備え、
ここで、前記第一の情報を送信するように配置される第二の時間位置と前記第二の情報を送信するように配置される第三の時間位置は少なくとも部分的に重なる、端末装置。
【請求項１８】
前記第一の情報はスケジューリングリクエスト情報又は周期的チャネル状態情報であることを特徴とする
請求項１７に記載の端末装置。
【請求項１９】
前記第二の情報は肯定確認（ＡＣＫ）又は否定確認（ＮＡＣＫ）情報、アップリンクデータ又は非周期的チャネル状態情報であることを特徴とする
請求項１７又は１８に記載の端末装置。
【請求項２０】
前記送信ユニットは具体的に、
前記第一の時間位置が前記第二の時間位置の前に位置する場合、多重伝送方式を用いて前記第二の情報と前記第一の情報を送信するように構成されることを特徴とする
請求項１７−１９のいずれか一項に記載の端末装置。
【請求項２１】
前記送信ユニットは具体的に、
前記第三の時間位置において、多重伝送方式を用いて前記第二の情報と前記第一の情報を送信するように構成され、
又は、
前記第二の情報を伝送するためのＰＵＣＣＨを用い、前記第二の情報と前記第一の情報を送信するように構成され、
又は、
前記制御シグナリングに示されるＰＵＣＣＨを用いて前記第二の情報と前記第一の情報を送信するように構成されることを特徴とする
請求項２０に記載の端末装置。
【請求項２２】
前記第一の時間位置が前記第二の時間位置の前に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの前に位置することを含むことを特徴とする
請求項２０又は２１に記載の端末装置。
【請求項２３】
前記送信ユニットは具体的に、
前記第一の時間位置が前記第二の時間位置の後に位置し、そして前記第一の情報が正である場合、前記第一の情報を少なくとも送信し、又は、
前記第一の時間位置が前記第二の時間位置の後に位置し、そして前記第一の情報が負である場合、前記第二の情報のみを送信するように構成されることを特徴とする
請求項１７−１９のいずれか一項に記載の端末装置。
【請求項２４】
前記第一の時間位置が前記第二の時間位置の後に位置し、そして前記第一の情報が正である場合、前記送信ユニットは具体的に、
前記端末装置が複数のＰＵＣＣＨを同時に伝送することをサポートしない場合、前記第一の情報のみを送信し、又は、
前記端末装置が複数のＰＵＣＣＨを同時に伝送することをサポートする場合、独立した２つのＰＵＣＣＨを用いて前記第一の情報と前記第二の情報をそれぞれ送信するように構成されることを特徴とする
請求項２３に記載の端末装置。
【請求項２５】
前記第一の情報を送信するためのＰＵＣＣＨに占有された異なる時間領域シンボルにおける送信電力が同じであることを特徴とする
請求項２４に記載の端末装置。
【請求項２６】
前記第一の時間位置が前記第二の時間位置の後に位置することは、
前記第一の時間位置に含まれる少なくとも一つの時間領域シンボルのうちの最後の時間領域シンボルが、前記第二の時間位置に含まれる少なくとも一つの時間領域シンボルのうちの１番目の時間領域シンボルの後に位置すること、又は、前記第一の時間位置に含まれる少なくとも一つの時間領域シンボルのうちの最後の時間領域シンボルと前記第二の時間位置に含まれる少なくとも一つの時間領域シンボルのうちの１番目の時間領域シンボルが同一の時間領域シンボルであることを含むことを特徴とする
請求項２３−２５のいずれか一項に記載の端末装置。
【請求項２７】
前記制御シグナリングが物理ダウンリンク制御チャネル（ＰＤＣＣＨ）によって送信されることに応答して、前記第１の時間位置のＰＤＣＣＨにおける前記少なくとも１つの時間領域シンボルの最後の時間領域シンボルは、前記第２の時間位置における前記少なくとも１つの時間領域シンボルの第１の時間領域シンボルの前に位置することを特徴とする
請求項２２に記載の端末装置。
【請求項２８】
ネットワーク装置であって、
第一の時間位置において端末装置へ制御シグナリングを送信するように構成される送信ユニットと、
前記端末装置が前記第一の時間位置に基づいて送信した第一の情報及び／又は前記制御シグナリングに関連する第二の情報を受信するように構成される受信ユニットとを備え、
ここで、前記第一の情報を送信するように配置される第二の時間位置と前記第二の情報を送信するように配置される第三の時間位置は少なくとも部分的に重なる、ネットワーク装置。
【請求項２９】
前記受信ユニットは具体的に、
前記第一の時間位置が前記第二の時間位置の前に位置する場合、前記端末装置が多重伝送方式を用いて送信した前記第二の情報と前記第一の情報を受信するように構成されることを特徴とする
請求項２８に記載のネットワーク装置。
【請求項３０】
前記受信ユニットは具体的に、
前記第三の時間位置において、前記端末装置が多重伝送方式を用いて送信した前記第二の情報と前記第一の情報を受信するように構成され、
又は、
前記端末装置が前記第二の情報を伝送するためのＰＵＣＣＨを用いて送信した前記第二の情報と前記第一の情報を受信するように構成され、
又は、
前記端末装置が前記制御シグナリングに示されるＰＵＣＣＨを用いて送信した前記第二の情報と前記第一の情報を受信するように構成されることを特徴とする
請求項２９に記載のネットワーク装置。
【請求項３１】
前記受信ユニットは具体的に、
前記第一の時間位置が前記第二の時間位置の後に位置し、そして前記第一の情報が正である場合、前記端末装置から送信された前記第一の情報を少なくとも受信し、又は、
前記第一の時間位置が前記第二の時間位置の後に位置し、そして前記第一の情報が負である場合、前記端末装置から送信された前記第二にお情報のみを受信するように構成されることを特徴とする
請求項２８又は２９に記載のネットワーク装置。
【請求項３２】
前記第一の時間位置が前記第二の時間位置の後に位置し、そして前記第一の情報が正である場合、前記受信ユニットは具体的に、
前記端末装置が複数のＰＵＣＣＨを同時に伝送することをサポートしない場合、前記端末装置から送信された前記第一の情報のみを受信し、又は、
前記端末装置が複数のＰＵＣＣＨを同時に伝送することをサポートする場合、前記端末装置が独立した２つのＰＵＣＣＨを用いてそれぞれ送信した前記第一の情報と前記第二の情報を受信するように構成されることを特徴とする
請求項３１に記載のネットワーク装置。
【請求項３３】
装置であって、入力インタフェース、出力インタフェース及び少なくとも１つのプロセッサを備え、前記少なくとも１つのプロセッサは、請求項１〜１２のいずれか一項に記載の情報伝送方法又は請求項１２〜１６のいずれか一項に記載の情報伝送方法を実行するための１つ以上のプログラムコードを実行することができることを特徴とする、前記装置。
【国際調査報告】
2021515419.tif 000014
2021515419.tif 000015
2021515419.tif 000016
2021515419.tif 000017